(57)【特許請求の範囲】
【請求項１】
ヘリコプターの臨時離着陸場の着陸点の周囲に複数個配置され、点滅光を発生するヘリコプター臨時着陸支援用の支援灯であって、
所定の時間間隔で閃光を繰り返し発生する閃光ランプと、この閃光ランプの光強度よりも減光した連続光を発生する連続光ランプと、上記閃光ランプ及び連続光ランプの発光制御の無線信号を受信する受信機と、この受信機からの発光制御信号を基準として上記閃光ランプの発光タイミングを切り換える発光順序切換手段と、上記受信機からの発光制御信号により上記閃光ランプと連続光ランプとの発光を切り換える発光部切換手段と、上記各構成要素へ電力を供給するバッテリとを有して成り、ヘリコプターの進入方向の手前側から奥側に向けて所定の時間間隔で順序付けして複数個を点滅させるのを繰り返し、その繰り返しによる移動する点滅光の流れと形状により、上記ヘリコプターの進入方向と着陸進入角度とを同時に示して臨時離着陸場への着陸を支援することを特徴とするヘリコプター臨時着陸支援用の支援灯。
【請求項２】
上記連続光ランプの発光の輝度を複数段階に切り換える輝度切換手段を付加したことを特徴とする請求項１記載のヘリコプター臨時着陸支援用の支援灯。
【請求項３】
所定の時間間隔で閃光を繰り返し発生する閃光ランプと、この閃光ランプの光強度よりも減光した連続光を発生する連続光ランプと、上記閃光ランプ及び連続光ランプの発光制御の無線信号を受信する受信機と、この受信機からの発光制御信号を基準として上記閃光ランプの発光タイミングを切り換える発光順序切換手段と、上記受信機からの発光制御信号により上記閃光ランプと連続光ランプとの発光を切り換える発光部切換手段と、上記各構成要素へ電力を供給するバッテリとを有して成る複数個の支援灯を、
ヘリコプターの臨時離着陸場の着陸点の周囲に、該ヘリコプターの進入方向の軸線の前後方向に沿って長い間隔をおき直交方向には短い間隔をおいて細長多角形状に配置すると共に、その配置形状の縦横比はヘリコプターが所定の着陸進入角度で進入するときは上記複数個の支援灯が正多角形状を成して見えるような比率の配置とし、
上記複数個の支援灯に対して、閃光ランプ及び連続光ランプの発光制御の無線信号を送信する送信機を備えて成り、
この送信機からの発光制御信号により、上記複数個の支援灯をヘリコプターの進入方向の手前側から奥側に向けて所定の時間間隔で順序付けして点滅させるのを繰り返し、上記支援灯の移動する点滅光の流れと形状により、上記ヘリコプターの進入方向と着陸進入角度とを同時に示して臨時離着陸場への着陸を支援するようにしたことを特徴とするヘリコプター臨時着陸支援灯装置。
【請求項４】
上記各支援灯には、連続光ランプの発光の輝度を複数段階に切り換える輝度切換手段を付加したことを特徴とする請求項３記載のヘリコプター臨時着陸支援灯装置。
【発明の詳細な説明】
【０００１】
【発明の属する技術分野】
本発明は、ヘリコプターが災害救助時等において飛行場外の臨時離着陸場へ主として夜間に着陸する際に地上側で支援する装置に関し、特に、点滅光を発生する複数個の支援灯の移動する点滅光の流れと形状により、ヘリコプターの進入方向と着陸進入角度とを同時に示して臨時離着陸場への着陸を支援することができるヘリコプター臨時着陸支援用の支援灯並びにヘリコプター臨時着陸支援灯装置に関する。
【０００２】
【従来の技術】
従来、ヘリコプターが災害救助時等において飛行場外の臨時離着陸場へ主として夜間に着陸する際に地上側で支援するヘリコプターの臨時着陸支援としては、本出願人の出願に係る特開平９−１５０７９９号公報に記載されているようなヘリコプター臨時着陸支援方法及びその実施に使用する支援灯装置がある。
【０００３】
このヘリコプター臨時着陸支援方法は、ヘリコプターの着陸区域を示す矩形状の着陸帯の境界線上に閃光ライトから成る複数個の支援灯を等間隔で配置し、上記着陸帯のヘリコプターの進入方向に沿って両サイドに配置された支援灯を進入方向手前側から奥側に向けて等時間間隔で順序付けして左右同時に発光させることを繰り返し、上記ヘリコプターの進入方向に沿って移動する閃光を発生させることにより、上記支援灯で進入方向と着陸帯の境界とを同時に示すようになっていた。
【０００４】
また、支援灯装置は、上記着陸帯の境界線上に等間隔で配置される閃光ライトから成る複数個の支援灯を有し、これらの支援灯のうち上記着陸帯のヘリコプターの進入方向の手前側に位置する１個は所定の時間間隔で閃光を繰り返し発生する親器とし、この親器以外の他の支援灯は上記親器からの閃光の発生タイミングを認識し自らに設定された発光順番時間後に閃光を発生する子器として構成されていた。
【０００５】
【発明が解決しようとする課題】
しかし、このような従来のヘリコプターの臨時着陸支援においては、着陸区域を示す矩形状の着陸帯の境界線上に複数個の支援灯を等間隔で配置していたので、支援灯の閃光の識別性を良くするために例えば「３回閃光」を繰り返すとすれば、最低でも２列で６個の支援灯、更に進入軸線を示すとすれば少なくとも合計８個の支援灯が必要となり、支援灯の数が比較的多くなるものであった。また、着陸帯の境界線上に複数個の支援灯を配置するだでけでは、着陸区域及びその進入方向は示せても、その着陸区域への着陸進入角度は示すことができないものであった。したがって、操縦者がヘリコプターの搭載計器を確認しながら安全な着陸進入角度内に機体を保持させるように操縦しなければならず、特に夜間においては操縦者の負担が重くなるものであった。或いは、着陸進入角度を示すための専用の航法援助装置が必要となることがあった。
【０００６】
また、支援灯装置としては、親器も子器も閃光を繰り返し発生する閃光ランプから成るので、ヘリコプターが着陸帯へ近づいて着陸直前になると、上記閃光ランプの閃光が操縦者には眩しく、却って着陸操縦の支障となることがあった。さらに、子器は、親器からの光又は無線信号を受けて所定のタイミングで閃光を発生するようになっているので、もし親器が故障して動作しなくなったら、子器自体の機能は問題なくても子器は動作しなくなり、支援灯装置全体が使用できない状態となることがあった。
【０００７】
そこで、本発明は、このような問題点に対処し、点滅光を発生する複数個の支援灯の移動する点滅光の流れと形状により、ヘリコプターの進入方向と着陸進入角度とを同時に示して臨時離着陸場への着陸を支援することができるヘリコプター臨時着陸支援用の支援灯並びにヘリコプター臨時着陸支援灯装置を提供することを目的とする。
【０００８】
【課題を解決するための手段】
上記目的を達成するために、本発明によるヘリコプター臨時着陸支援用の支援灯は、ヘリコプターの臨時離着陸場の着陸点の周囲に複数個配置され、点滅光を発生するヘリコプター臨時着陸支援用の支援灯であって、所定の時間間隔で閃光を繰り返し発生する閃光ランプと、この閃光ランプの光強度よりも減光した連続光を発生する連続光ランプと、上記閃光ランプ及び連続光ランプの発光制御の無線信号を受信する受信機と、この受信機からの発光制御信号を基準として上記閃光ランプの発光タイミングを切り換える発光順序切換手段と、上記受信機からの発光制御信号により上記閃光ランプと連続光ランプとの発光を切り換える発光部切換手段と、上記各構成要素へ電力を供給するバッテリとを有して成り、ヘリコプターの進入方向の手前側から奥側に向けて所定の時間間隔で順序付けして複数個を点滅させるのを繰り返し、その繰り返しによる移動する点滅光の流れと形状により、上記ヘリコプターの進入方向と着陸進入角度とを同時に示して臨時離着陸場への着陸を支援するものである。
【００１０】
そして、上記連続光ランプの発光の輝度を複数段階に切り換える輝度切換手段を付加してもよい。
【００１１】
さらに、ヘリコプター臨時着陸支援灯装置は、所定の時間間隔で閃光を繰り返し発生する閃光ランプと、この閃光ランプの光強度よりも減光した連続光を発生する連続光ランプと、上記閃光ランプ及び連続光ランプの発光制御の無線信号を受信する受信機と、この受信機からの発光制御信号を基準として上記閃光ランプの発光タイミングを切り換える発光順序切換手段と、上記受信機からの発光制御信号により上記閃光ランプと連続光ランプとの発光を切り換える発光部切換手段と、上記各構成要素へ電力を供給するバッテリとを有して成る複数個の支援灯を、ヘリコプターの臨時離着陸場の着陸点の周囲に、該ヘリコプターの進入方向の軸線の前後方向に沿って長い間隔をおき直交方向には短い間隔をおいて細長多角形状に配置すると共に、その配置形状の縦横比はヘリコプターが所定の着陸進入角度で進入するときは上記複数個の支援灯が正多角形状を成して見えるような比率の配置とし、上記複数個の支援灯に対して、閃光ランプ及び連続光ランプの発光制御の無線信号を送信する送信機を備えて成り、この送信機からの発光制御信号により、上記複数個の支援灯をヘリコプターの進入方向の手前側から奥側に向けて所定の時間間隔で順序付けして点滅させるのを繰り返し、上記支援灯の移動する点滅光の流れと形状により、上記ヘリコプターの進入方向と着陸進入角度とを同時に示して臨時離着陸場への着陸を支援するようにしたものである。
【００１２】
そして、上記各支援灯には、連続光ランプの発光の輝度を複数段階に切り換える輝度切換手段を付加してもよい。
【００１３】
【発明の実施の形態】
以下、本発明の実施の形態を添付図面に基づいて説明する。
図１は本発明に関連するヘリコプター臨時着陸支援方法を示す平面説明図であり、図２はその側面説明図である。このヘリコプター臨時着陸支援方法は、ヘリコプターが災害救助時等において飛行場外の臨時離着陸場へ主として夜間に着陸する際に地上側で支援するもので、図１に示すように、臨時離着陸場として指定された所定の場所の着陸点Ｐを中心としてその周囲に、点滅光を発生する複数個の支援灯Ｌ１，Ｌ２，Ｌ３，Ｌ４を、ヘリコプターの進入方向Ｈの軸線Ｃの前後方向に沿って長い間隔をおき、直交方向には短い間隔をおいて細長多角形状に配置する。
【００１４】
上記支援灯Ｌ1〜Ｌ4としては、例えば所定の時間間隔で閃光を繰り返し発生する閃光ランプでもよいし、或いは強力な光を発生するランプを所定の時間間隔でオン、オフを繰り返すものでもよい。そして、支援灯Ｌ1，Ｌ4をヘリコプターの進入方向Ｈの軸線Ｃの前後方向に沿って長い間隔をおいて配置し、支援灯Ｌ2，Ｌ3を着陸点Ｐを挟んで上記軸線Ｃに直交方向に短い間隔をおいて配置して、全体として細長多角形状に配置する。例えば縦長の菱形形状の場合は、支援灯の数は４個だけでよい。
【００１５】
上記の細長多角形状（例えば縦長の菱形形状又は楕円形状等）に配置する支援灯Ｌ1〜Ｌ4の配置の仕方は、配置形状の縦横比が、図２に示すようにヘリコプターが所定の着陸進入角度θで進入するときは、上記複数個の支援灯Ｌ1〜Ｌ4が正多角形状（例えば正方形を４５度傾けた菱形形状又は真円形等）を成して見えるような比率の配置とする。いま、図３において、ヘリコプターの進入方向Ｈの軸線Ｃの前後方向に沿って地表面Ｇに置かれる支援灯Ｌ1，Ｌ4の実際の間隔をＡとし、上記軸線Ｃに直交する方向に地表面Ｇに置かれる支援灯Ｌ2，Ｌ3の実際の間隔をＢとする。一方、図４において、着陸進入角度θで進入するヘリコプターの操縦者から見える支援灯Ｌ1，Ｌ4の見掛けの間隔をａとし、支援灯Ｌ2，Ｌ3の見掛けの間隔をｂとする。
【００１６】
このような状態で、図４において、ヘリコプターの進入方向Ｈから見れば、支援灯Ｌ2，Ｌ3の実際の間隔Ｂと見掛けの間隔ｂとは等しくなり、ｂ＝Ｂとなる。また、支援灯Ｌ1，Ｌ4の実際の間隔Ａと見掛けの間隔ａとの関係は、図４に示す三角形Ｌ1Ｌ4Ｍにおいてａ＝Ａsinθとなる。一方、着陸進入角度θで進入するヘリコプターの操縦者から見える支援灯Ｌ1〜Ｌ4の見掛けの多角形状が、例えば正方形を４５度傾けた菱形形状又は真円形等となるためには、ａ＝ｂでなければならない。
【００１７】
以上の関係をまとめると、
ａ＝Ａsinθ  …（１）
ｂ＝Ｂ      …（２）
ａ＝ｂ      …（３）
であるから、これらの式から
Ａsinθ＝Ｂ  …（４）
となる。したがって、支援灯Ｌ1〜Ｌ4の配置形状の縦横比Ａ／Ｂは、
Ａ／Ｂ＝１／sinθ  …（５）
となる。
【００１８】
すなわち、複数個の支援灯Ｌ1〜Ｌ4を着陸点Ｐの周囲に細長多角形状に配置するのに、その配置形状の縦横比Ａ／Ｂが、上記式（５）を満足するように配置すると、ヘリコプターが所定の着陸進入角度θで進入するときは、上記複数個の支援灯Ｌ1〜Ｌ4が正多角形状を成して見えるようになる。上記式（５）で得られる着陸進入角度θと、細長多角形状の縦横比Ａ／Ｂとの関係を示すと、図５に示す表のようになる。例えば、着陸進入角度θが６度のときは細長多角形状の縦横比Ａ／Ｂは９.６となり、着陸進入角度θが１０度のときは細長多角形状の縦横比Ａ／Ｂは５.８となる。
【００１９】
そして、上記複数個の支援灯Ｌ1〜Ｌ4をこのような細長多角形状の配置にすると、図４に示す進入方向Ｈで進入するヘリコプターの操縦者からは、上記支援灯Ｌ1〜Ｌ4で形成される多角形状は、所定の着陸進入角度θの線上で進入する場合は、図６（ｂ）に示すように正多角形状（この場合は４５度傾けた正方形又は真円形等となる）に見え、上記着陸進入角度θの線上よりも高い高度で進入する場合は、図６（ａ）に示すように縦長の多角形状に変形して見え、着陸進入角度θの線上よりも低い高度で進入する場合は、図６（ｃ）に示すように横長の多角形状に変形して見える。したがって、上記複数個の支援灯Ｌ1〜Ｌ4で形成する細長多角形状の見え方により、操縦者に対してヘリコプターの所定の着陸進入角度θを示すことができる。
【００２０】
上記のように細長多角形状に配置された複数個の支援灯Ｌ1〜Ｌ4は、ヘリコプターの進入方向Ｈの手前側から奥側に向けて所定の時間間隔で順序付けして点滅させるのを繰り返す。すなわち、図７において、まず（ａ）に示すように手前側に位置する第一の支援灯Ｌ1が点滅し、次に（ｂ）に示すように真中に位置する第二及び第三の支援灯Ｌ2，Ｌ3が同時に点滅し、次に（ｃ）に示すように奥側に位置する第四の支援灯Ｌ4が点滅し、その後一定時間休止する。
【００２１】
これを時間経過で示すと、図７（ｄ）に示すように、まず第一の支援灯Ｌ1が点滅し、それから時間ｔ1（例えば０.２５秒）後に第二及び第三の支援灯Ｌ2，Ｌ3が同時に点滅し、それから時間ｔ2（例えば０.２５秒）後に第四の支援灯Ｌ4が点滅し、その後時間ｔ3（例えば１.５秒）だけ休止し、その後再び支援灯Ｌ1→Ｌ2，Ｌ3→Ｌ4の順序で上記の点滅を繰り返す。この支援灯Ｌ1→Ｌ2，Ｌ3→Ｌ4の順序の３回の点滅により、ヘリコプターの操縦者からは矢印Ｄ，Ｅのように移動する点滅光の流れが見え、この点滅光の流れにより操縦者に対してヘリコプターの進入方向Ｈを示すことができる。
【００２２】
この結果、図７（ｄ）に示す上記支援灯Ｌ1→Ｌ2，Ｌ3→Ｌ4の移動する点滅光の流れと、図６（ａ）〜（ｃ）に示す複数個の支援灯Ｌ1〜Ｌ4で形成する細長多角形状の見え方の形状により、操縦者に対してヘリコプターの進入方向Ｈと着陸進入角度θとを同時に示すことができる。これにより、ヘリコプターの臨時離着陸場への着陸を支援することができる。
【００２３】
以上の説明においては、複数個の支援灯を配置する細長多角形状を主として縦長の菱形形状にしたものとしたが、本発明はこれに限らず、各種の細長多角形状としてもよい。例えば、図８（ａ）に示すように、縦長の三角形状としてもよい。すなわち、支援灯Ｌ1，Ｌ5をヘリコプターの進入方向Ｈの軸線Ｃの前後方向に沿って長い間隔Ａをおいて配置し、支援灯Ｌ2，Ｌ3を着陸点Ｐを挟んで上記軸線Ｃに直交方向に短い間隔をおいて配置し、さらに上記支援灯Ｌ5の位置で上記軸線Ｃに直交方向に短い間隔Ｂをおいて支援灯Ｌ4，Ｌ6を配置すると共に、前記式（５）を満足する比率の配置とし、全体として縦長の三角形状に配置したものである。この場合、図４において、ヘリコプターが進入方向Ｈで所定の着陸進入角度θの線上で進入するときは、上記支援灯Ｌ1〜Ｌ6で形成される縦長の三角形状は、正三角形に見える。
【００２４】
また、図８（ｂ）に示すように、縦長の長方形状としてもよい。すなわち、支援灯Ｌ2，Ｌ7をヘリコプターの進入方向Ｈの軸線Ｃの前後方向に沿って長い間隔Ａをおいて配置し、支援灯Ｌ4，Ｌ5を着陸点Ｐを挟んで上記軸線Ｃに直交方向に短い間隔Ｂをおいて配置し、さらに上記支援灯Ｌ2及びＬ7の位置で上記軸線Ｃに直交方向に短い間隔Ｂをおいてそれぞれ支援灯Ｌ1，Ｌ3及びＬ6，Ｌ8を配置すると共に、前記式（５）を満足する比率の配置とし、全体として縦長の長方形状に配置したものである。この場合、ヘリコプターが進入方向Ｈで所定の着陸進入角度θの線上で進入するときは、上記支援灯Ｌ1〜Ｌ8で形成される縦長の長方形状は、正方形に見える。
【００２５】
また、図８（ｃ）に示すように、縦長の八角形状としてもよい。すなわち、支援灯Ｌ1，Ｌ8をヘリコプターの進入方向Ｈの軸線Ｃの前後方向に沿って長い間隔Ａをおいて配置し、支援灯Ｌ4，Ｌ5を着陸点Ｐを挟んで上記軸線Ｃに直交方向に短い間隔Ｂをおいて配置し、さらにそれらの中間の位置で上記軸線Ｃに直交方向に短い間隔をおいてそれぞれ支援灯Ｌ2，Ｌ3及びＬ6，Ｌ7を配置すると共に、前記式（５）を満足する比率の配置とし、全体として縦長の八角形状に配置したものである。この場合、ヘリコプターが進入方向Ｈで所定の着陸進入角度θの線上で進入するときは、上記支援灯Ｌ1〜Ｌ8で形成される縦長の八角形状は、正八角形に見える。なお、これの延長線上の形状として、配置する複数個の支援灯の数を更に増やすことにより、縦長の楕円形状としてもよい。この場合は、ヘリコプターが進入方向Ｈで所定の着陸進入角度θの線上で進入するときは、上記縦長の楕円形状は真円形に見える。
【００２６】
次に、ヘリコプター臨時着陸支援用の支援灯について、図９を参照して説明する。この支援灯１は、上記ヘリコプター臨時着陸支援方法の実施に使用するもので、閃光ランプ２と、連続光ランプ３と、受信機４と、発光順序切換回路５と、発光部切換回路６と、バッテリ７とを有して成る。
【００２７】
上記閃光ランプ２は、夜間において遠くからでも発光位置が視認できるように所定の時間間隔で閃光を繰り返し発生するもので、例えばリング状の閃光放電管からなり、閃光ランプ駆動回路８によって動作制御されるようになっている。また、連続光ランプ３は、上記閃光ランプ２の光強度よりも減光した連続光を発生するもので、例えば白熱電球からなり、連続光ランプ駆動回路９によって動作制御されるようになっている。この連続光ランプ３は、ヘリコプターが着陸点Ｐへ近づいて着陸直前になると、上記閃光ランプ２の閃光が操縦者には眩しくなるので、減光した連続光に切り換えて操縦者の眩惑を防止するためである。なお、この連続光ランプ駆動回路９には、連続光輝度切換回路１０が接続されており、図示省略の切換スイッチによって上記連続光ランプ３の発光の輝度を複数段階に切り換えることができるようになっている。
【００２８】
受信機４は、上記閃光ランプ２及び連続光ランプ３の発光制御の無線信号を受信するもので、受信アンテナ１１で図示外の送信機からの無線信号を受信し、発光制御信号を出力するようになっている。また、発光順序切換回路５は、上記受信機４からの発光制御信号を基準として上記閃光ランプ２の発光タイミングを切り換える発光順序切換手段となるもので、例えば上記発光制御信号からの任意の遅延時間を設定して、前記閃光ランプ駆動回路８の動作開始のタイミングを与えるようになっている。これにより、例えば図７に示す各支援灯Ｌ1〜Ｌ4の１番目、２番目、３番目の発光順序が決められる。
【００２９】
発光部切換回路６は、上記受信機４からの発光制御信号により上記閃光ランプ２と連続光ランプ３との発光を切り換える発光部切換手段となるもので、発光制御信号の内容により前記閃光ランプ駆動回路８に動作信号を送ったり、連続光ランプ駆動回路９に動作信号を送るようになっている。また、バッテリ７は、上記各構成要素へ電力を供給するもので、保管時に常にフル充電しておき、いつでも使用可能状態にされている。
【００３０】
図１０は上記のような構成の支援灯１の外観を示す説明図である。図９に示す各構成要素は総て、これらを覆う筐体１２の内部に納められている。筐体１２の上面には、全周に略単双曲線回転面を有する反射板１３が取り付けられ、この反射板１３の最小径部には前記リング状の閃光ランプ２が設けられ、上記反射板１３の上面には前記連続光ランプ３が例えば２個設けられており、これらの反射板１３及び閃光ランプ２並びに連続光ランプ３は円筒状の透明カバー１４によって覆われている。
【００３１】
上記筐体１２の下面には、円形のベース板１５が設けられ、このベース板１５の底面の周囲には、図１０（ｃ）に示すようにゴム製又は金属製等の止め脚１６，１６，…が下向きに突設されている。そして、この底面には、図９に示す発光順序切換回路５に対して受信機４からの発光制御信号からの任意の遅延時間を設定する発光順序の選択スイッチ１７が設けられている。この選択スイッチ１７を目盛「１」、「２」、「３」に合わせることにより、図７に示す各支援灯Ｌ1〜Ｌ4の１番目、２番目、３番目の発光順序が決められる。
【００３２】
そして、上記筐体１２の側面の一部には、運搬用の把手１８が設けられている。この把手１８を握って運搬することにより、支援灯１の設置又は撤収作業が容易になる。なお、図１０（ｂ）において、符号１９は電力供給の電源スイッチを示し、符号２０は電源オン、オフのパイロットランプを示し、符号２１はバッテリの充電端子を示している。
【００３３】
次に、ヘリコプター臨時着陸支援灯装置について、図１１を参照して説明する。このヘリコプター臨時着陸支援灯装置２２は、前記ヘリコプター臨時着陸支援方法の実施に使用するもので、複数個の支援灯Ｌ1〜Ｌ4と、送信機２３とを有して成る。
【００３４】
上記各支援灯Ｌ1〜Ｌ4は、前述の図９及び図１０で説明した構成の支援灯から成る。そして、これらの支援灯Ｌ1〜Ｌ4を、前述の図３及び図４で説明したように、ヘリコプターの臨時離着陸場の着陸点Ｐの周囲に、該ヘリコプターの進入方向Ｈの軸線Ｃの前後方向に沿って長い間隔をおき直交方向には短い間隔をおいて細長多角形状に配置すると共に、その配置形状の縦横比はヘリコプターが所定の着陸進入角度θで進入するときは上記複数個の支援灯Ｌ1〜Ｌ4が正多角形状を成して見えるような比率に配置してある。
【００３５】
また、送信機２３は、上記複数個の支援灯Ｌ1〜Ｌ4に対して、閃光ランプ２及び連続光ランプ３の発光制御の無線信号を送信するもので、電源スイッチや発光制御選択スイッチ、送信ボタン等を有し、バッテリ駆動で手の平サイズの小型軽量のものとされている。
【００３６】
そして、上記送信機２３からの発光制御信号により、前述のように、上記複数個の支援灯Ｌ1〜Ｌ4をヘリコプターの進入方向Ｈの手前側から奥側に向けて所定の時間間隔で順序付けして点滅させるのを繰り返し、上記の移動する閃光の流れと形状により、上記ヘリコプターの進入方向Ｈと着陸進入角度θ（図２参照）とを同時に示して臨時離着陸場への着陸を支援するようになっている。
【００３７】
そのために、図１１において、各支援灯Ｌ1〜Ｌ4を所定の位置に配置するときに、図１０（ｃ）に示す選択スイッチ１７を目盛「１」、「２」、「３」のいずれかに合わせることにより、図７に示す各支援灯Ｌ1〜Ｌ4の１番目、２番目、３番目の発光順序を決める。図１１の例では、第一の支援灯Ｌ1の選択スイッチ１７を目盛「１」に合わせて１番目の発光順序とし、第二及び第三の支援灯Ｌ2，Ｌ3の選択スイッチ１７を目盛「２」に合わせて２番目の発光順序とし、第四の支援灯Ｌ4の選択スイッチ１７を目盛「３」に合わせて３番目の発光順序とする。
【００３８】
そして、各支援灯Ｌ1〜Ｌ4において、図１０（ｂ）に示す電源スイッチ１９をオンとして、パイロットランプ２０の点灯を確認し待機状態にする。次に、図１１に示す送信機２３の電源スイッチをオンにする。そして、閃光ランプ２を発光させたいときは、送信機２３の発光制御選択スイッチを「閃光ランプ」の位置に合わせて送信ボタンを押す。これにより、各支援灯Ｌ1〜Ｌ4は、図７に示す１番目、２番目、３番目の発光順序で閃光を繰り返し発生する。これにより、図３及び図４に示すように、ヘリコプターの進入方向Ｈと着陸進入角度θとを同時に示して臨時離着陸場への着陸を支援することができる。
【００３９】
なお、このとき、ヘリコプターが着陸点Ｐへ近づいて着陸直前になると、上記閃光ランプ２の閃光が操縦者には眩しくなるので減光したいときは、送信機２３の発光制御選択スイッチを「連続光ランプ」の位置に合わせて送信ボタンを押す。これにより、各支援灯Ｌ1〜Ｌ4は、閃光ランプ２の閃光が停止して、連続光ランプ３が点灯して減光した連続光を発生する。さらに、この連続光ランプ３の輝度を変えたい場合は、送信機２３の発光制御選択スイッチを「減光」の位置に合わせて送信ボタンを押せばよい。
【００４０】
そして、上記各支援灯Ｌ1〜Ｌ4の動作を終了させるときは、送信機２３の発光制御選択スイッチを「停止」の位置に合わせて送信ボタンを押す。これにより、全支援灯Ｌ1〜Ｌ4の動作が終了するので、各支援灯Ｌ1〜Ｌ4の電源スイッチ１９をオフとして、撤収すればよい。
【００４１】
【発明の効果】
本発明は以上のように構成されたので、請求項１，２に係るヘリコプター臨時着陸支援用の支援灯によれば、ヘリコプターの進入方向の手前側から奥側に向けて所定の時間間隔で順序付けして複数個を点滅させるのを繰り返し、その繰り返しによる移動する点滅光の流れと形状により、上記ヘリコプターの進入方向と着陸進入角度とを同時に示して臨時離着陸場への着陸を支援するのに適切な支援灯を提供することができる。特に、閃光を繰り返し発生する閃光ランプと、この閃光ランプの光強度よりも減光した連続光を発生する連続光ランプとを備え、この閃光ランプと連続光ランプとの発光を切り換えることができるので、ヘリコプターが着陸点へ近づいて着陸直前になったときに、減光した連続光ランプに切り換えて上記閃光ランプの閃光が操縦者には眩しくならないようにして、着陸操縦の安全性を高めることができる。
さらに、上記連続光ランプの発光の輝度を複数段階に切り換える輝度切換手段を付加したものにおいては、操縦者の眩惑に対してこまめに対処することができる。
【００４３】
また、請求項３，４に係るヘリコプター臨時着陸支援灯装置によれば、複数個の支援灯をヘリコプターの進入方向の手前側から奥側に向けて所定の時間間隔で順序付けして点滅させるのを繰り返し、上記支援灯の移動する点滅光の流れと形状により、上記ヘリコプターの進入方向と着陸進入角度とを同時に示して臨時離着陸場への着陸を支援するのに適切なシステムを提供することができる。この場合は、上記個々の支援灯の利点を生かしたまま、前記ヘリコプターの臨時離着陸場への着陸支援を実施することができる。また、複数個の支援灯は、総て同じ構成とされ個々に独立して動作するので、どれかが故障しても他の支援灯は総て正常に動作し、支援灯装置全体が使用できない状態になることはない。
さらに、上記各支援灯に、連続光ランプの発光の輝度を複数段階に切り換える輝度切換手段を付加したものにおいては、操縦者の眩惑に対してこまめに対処することができる。
【図面の簡単な説明】
【図１】  本発明に関連するへリコプター臨時着陸支援方法を示す平面説明図である。
【図２】図１の側面説明図である。
【図３】複数個の支援灯を細長多角形状に配置する状態を示す説明図である。
【図４】複数個の支援灯を細長多角形状に配置する配置形状の縦横比を決める原理を示す説明図である。
【図５】上記の原理で求めた細長多角形状の縦横比と着陸進入角度との関係の例を示す表である。
【図６】ヘリコプターの進入方向から見た複数個の支援灯による細長多角形状の見え方の違いを示す説明図である。
【図７】複数個の支援灯をヘリコプターの進入方向の手前側から奥側に向けて所定の時間間隔で順序付けして点滅させるのを繰り返す状態を示す説明図である。
【図８】複数個の支援灯を配置する細長多角形状の他の例を示す説明図である。
【図９】ヘリコプター臨時着陸支援用の支援灯の内部構成を示すブロック図である。
【図１０】上記ヘリコプター臨時着陸支援用の支援灯の外観を示す説明図であり、（ａ）は正面図、（ｂ）は平面図、（ｃ）は底面図である。
【図１１】ヘリコプター臨時着陸支援灯装置の構成を示す概要図である。
【符号の説明】
Ｐ…着陸点
Ｌ1〜Ｌ4…支援灯
Ｈ…進入方向
Ｃ…軸線
θ…着陸進入角度
１…支援灯
２…閃光ランプ
３…連続光ランプ
４…受信機
５…発光順序切換回路
６…発光部切換回路
７…バッテリ
１０…連続光輝度切換回路
１７…発光順序の選択スイッチ
１８…把手
２２…ヘリコプター臨時着陸支援灯装置
２３…送信機
【図１】
0004272742.tif 000002
【図２】
0004272742.tif 000003
【図３】
0004272742.tif 000004
【図４】
0004272742.tif 000005
【図５】
0004272742.tif 000006
【図６】
0004272742.tif 000007
【図７】
0004272742.tif 000008
【図８】
0004272742.tif 000009
【図９】
0004272742.tif 000010
【図１０】
0004272742.tif 000011
【図１１】
0004272742.tif 000012